(57)【要約】【課題】車両搭乗者にとっての利便性を向上すること。【解決手段】分割画面２１０，２２０は、それぞれ異なるコンテンツソースからの異なる映像を同時に表示することができる。リモコン３１０，３２０は、分割画面２１０，２２０の操作権の設定情報を更新するための操作コマンドおよび制御対象の分割画面の表示映像の映像ソースを選択するための操作コマンドなどを生成する。操作処理部４２０は、リモコン３１０，３２０からの操作コマンドを受けて、操作権の設定情報を更新する。指示処理部４３０は、リモコン３１０，３２０からの操作コマンドを受けて、制御対象の分割画面の映像を制御するための指示信号を、ソースセレクタ５１０，５２０の映像ＳＷ５１１，５２１、映像処理装置６００の映像処理部６１０，６２０，６４０および映像合成部６３０のいずれかに出力する。【選択図】図１
2007292813.tif 000002
【特許請求の範囲】
【請求項１】
異なるコンテンツソースからの映像を同時に複数の分割画面に表示する表示部と、
前記表示部により表示される映像を制御する制御部と、
操作信号入力源に対応する操作信号を生成し、前記操作信号により、前記制御部に、前記複数の分割画面のうち前記操作信号入力源に対応する分割画面の表示映像を他の分割画面から独立に制御させる操作部と、
を具備する表示システム。
【請求項２】
異なるコンテンツソースからの映像を同時に複数の分割画面に表示する画面と、
前記複数の分割画面の中の異なる分割画面の表示映像を、異なる操作信号入力源からの操作信号に応じて個別に制御する制御手段と、
を具備する表示装置。
【請求項３】
映像を表示する画面と、
前記画面を分割してなる複数の分割画面に、異なるコンテンツソースからの映像を同時に表示させつつ、前記複数の分割画面の中の異なる分割画面の表示映像を、異なる操作信号入力源からの操作信号に応じて個別に処理する映像処理手段と、
を具備する表示装置。
【請求項４】
表示部の複数の分割画面に同時に表示される映像を制御する映像制御装置であって、
異なる操作信号入力源からの操作信号を識別する識別手段と、
前記複数の分割画面の中の異なる分割画面の表示映像を、識別された操作信号に応じて個別に制御する制御手段と、
を具備する映像制御装置。
【請求項５】
表示部の複数の分割画面に同時に表示される映像を制御する映像制御方法であって、
異なる操作信号入力源からの操作信号を識別する識別ステップと、
前記複数の分割画面の中の異なる分割画面の表示映像を、識別された操作信号に応じて個別に制御する制御ステップと、
を具備する映像制御方法。
【請求項６】
表示装置に対してその１画面、前記１画面を分割してなる一の分割画面および他の分割画面で映像を表示させる表示システムであって、
操作装置と、
前記操作装置からの操作信号が入力されると、前記１画面、前記一の分割画面および前記他の分割画面のうち前記操作装置に対応付けられた画面での映像表示を前記操作信号に従って制御する制御装置とを備える表示システム。
【請求項７】
前記制御装置は、前記１画面、前記一の分割画面および前記他の分割画面のうち前記操作装置およびこの操作装置を操作する操作者の位置に対応付けられたものを前記操作信号に従って制御することを特徴とする請求項６に記載の表示システム。
【請求項８】
前記制御装置は、着座センサまたは近接センサに接続され、これらのセンサで出力された値を用いて前記操作者の位置を求めることを特徴とする請求項７に記載の表示システム。
【請求項９】
表示装置に対してその１画面、前記１画面を分割してなる一の分割画面および他の分割画面で映像を表示させる表示システムで用いられる制御装置であって、
操作装置からの操作信号が入力されると、前記１画面、前記一の分割画面および前記他の分割画面のうち前記操作装置に対応付けられた画面での映像表示を前記操作信号に従って制御する制御部を備える制御装置。
【請求項１０】
前記制御部は、前記１画面、前記一の分割画面および前記他の分割画面のうち前記操作装置およびこの操作装置を操作する操作者の位置に対応付けられた画面での映像表示を前記操作信号に従って制御することを特徴とする請求項９に記載の制御装置。
【請求項１１】
前記制御部は、着座センサまたは近接センサに接続され、これらのセンサで出力された値を用いて前記操作者の位置を求めることを特徴とする請求項１０に記載の制御装置。
【発明の詳細な説明】
【技術分野】
【０００１】
本発明は、画面に映像を表示する表示システムおよび表示装置ならびにその制御を行う映像制御装置、制御装置および映像制御方法に関する。
【背景技術】
【０００２】
背景技術として、車載ディスプレイを利用して搭乗者がテレビやビデオ、ＤＶＤ（Digital Versatile Disk）などを視聴できるよう構成されたシステムがある。また、横長のディスプレイに対して横方向に合成されたカメラ画像を表示させるシステムが知られている（例えば、特許文献１を参照）。
【特許文献１】特開２００１−１１４０４８号公報
【発明の開示】
【発明が解決しようとする課題】
【０００３】
近年、各搭乗者が自らの好みに合ったコンテンツを視聴可能なシステムが望まれている。背景技術によれば、横長のディスプレイに対して横方向に合成されたテレビ番組や映画などを表示させることによって、各搭乗者に対してそれぞれ異なるコンテンツを視聴させることが可能になる。もっとも、横長のディスプレイに対して横方向に合成されたテレビ番組や映画などを表示させるだけでは、各搭乗者は、自らの好みに合ったコンテンツを視聴することができない。搭乗者全員にとっての利便性という点で、背景技術を組み合わせただけでは一定の限界がある。
【０００４】
本発明は、かかる点に鑑みてなされたものであり、車両搭乗者にとっての利便性を向上することができる表示システム、表示装置、映像制御装置、制御装置および映像制御方法を提供することを目的とする。
【課題を解決するための手段】
【０００５】
本発明の表示システムは、異なるコンテンツソースからの映像を同時に複数の分割画面に表示する表示部と、前記表示部により表示される映像を制御する制御部と、操作信号入力源に対応する操作信号を生成し、前記操作信号により、前記制御部に、前記複数の分割画面のうち前記操作信号入力源に対応する分割画面の表示映像を他の分割画面から独立に制御させる操作部と、を具備する構成を採る。
【０００６】
本発明の表示システムは、表示装置に対してその１画面、前記１画面を分割してなる一の分割画面および他の分割画面で映像を表示させる表示システムであって、操作装置と、前記操作装置からの操作信号が入力されると、前記１画面、前記一の分割画面および前記他の分割画面のうち前記操作装置に対応付けられた画面での映像表示を前記操作信号に従って制御する制御装置とを備える構成を採る。
【０００７】
本発明の表示装置は、異なるコンテンツソースからの映像を同時に複数の分割画面に表示する画面と、前記複数の分割画面の中の異なる分割画面の表示映像を、異なる操作信号入力源からの操作信号に応じて個別に制御する制御手段と、を具備する構成を採る。
【０００８】
本発明の表示装置は、映像を表示する画面と、前記画面を分割してなる複数の分割画面に、異なるコンテンツソースからの映像を同時に表示させつつ、前記複数の分割画面の中の異なる分割画面の表示映像を、異なる操作信号入力源からの操作信号に応じて個別に処理する映像処理手段と、を具備する構成を採る。
【０００９】
本発明の映像制御装置は、表示部の複数の分割画面に同時に表示される映像を制御する映像制御装置であって、異なる操作信号入力源からの操作信号を識別する識別手段と、前記複数の分割画面の中の異なる分割画面の表示映像を、識別された操作信号に応じて個別に制御する制御手段と、を具備する構成を採る。
【００１０】
本発明の制御装置は、表示装置に対してその１画面、前記１画面を分割してなる一の分割画面および他の分割画面で映像を表示させる表示システムで用いられる制御装置であって、操作装置からの操作信号が入力されると、前記１画面、前記一の分割画面および前記他の分割画面のうち前記操作装置に対応付けられた画面での映像表示を前記操作信号に従って制御する制御部を備える構成を採る。
【００１１】
本発明の映像制御方法は、表示部の複数の分割画面に同時に表示される映像を制御する映像制御方法であって、異なる操作信号入力源からの操作信号を識別する識別ステップと、前記複数の分割画面の中の異なる分割画面の表示映像を、識別された操作信号に応じて個別に制御する制御ステップと、を具備するようにした。
【発明の効果】
【００１２】
本発明によれば、車両搭乗者にとっての利便性を向上することができる。
【発明を実施するための最良の形態】
【００１３】
以下、本発明の実施の形態について、図面を参照して詳細に説明する。
【００１４】
図１は、本発明の一実施の形態に係る表示システムとしてのＡＶ（audio visual）システム１００の構成を示すブロック図である。このＡＶシステム１００は、プログラムを記録する記録媒体（図示せず）、このプログラムを実行させるＣＰＵ（Central Processing Unit）（図示せず）、このプログラムを無線通信により受信する通信系統（図示せず）などとともに、車両に搭載することができる。
【００１５】
図１において、ＡＶシステム１００は、ワイドディスプレイ２００、リモコン（「操作装置」に相当する）３１０，３２０、受光部３３０、ＥＳＷ（エスカッションスイッチ）（「操作装置」に相当する）３４０、制御装置４００、コンテンツ入力ソース５００、ソースセレクタ５１０，５２０、映像処理装置６００、音声合成部７１０、およびスピーカ７２０を備える。また、操作者の位置を特定するための信号を出力する図示しない着座センサまたは近接センサが設けられている。
【００１６】
表示装置としてのワイドディスプレイ２００は、映像を表示する画面２３０を有する。画面２３０は、ある画面モードでは、映像処理装置６００から入力される映像信号を、画面２３０の全領域または部分領域に、１画面表示の形態で表示し、他の画面モードでは、映像処理装置６００からの映像信号を、画面２３０上に、２画面表示の形態で表示する。２画面表示の場合、画面２３０の全領域を例えば境界部（図中の破線）を基準として左右に２分割してなる分割画面２１０および分割画面２２０に、それぞれ映像が表示される。したがって、画面２３０は、２つの映像ソースからそれぞれ得られる２つの映像を横に並べて表示するのに適した横長の形状を有する。
【００１７】
なお、全実施の形態の説明全体を通して用いられる「映像」なる語は、フレームを基本単位として生成、伝送または処理される信号（映像信号）の、画面２３０上での視覚的表現の総称を意味するものである。また、本実施の形態では、画面２３０を左右に２分割して２つの分割画面２１０、２２０を形成している、つまり分割画面表示の一例として２画面表示が用いられているが、分割画面の個数およびその形態は、前述のものだけに限定されない。
【００１８】
また、ワイドディスプレイ２００は、音声出力デバイスとしてのヘッドフォン出力端子２４０，２５０を備える。ヘッドフォン出力端子２４０，２５０は、ヘッドフォン（図示せず）に接続可能であり、音声合成部７１０から入力される音声信号をヘッドフォン側に出力する。この音声信号は、ヘッドフォンから音声として出力される。なお、ヘッドフォン出力端子２４０，２５０を、図示されているようにワイドディスプレイ２００の本体に設ける代わりに、ＡＶシステム１００内の他の適切な個所に設けてもよい。
【００１９】
また、ワイドディスプレイ２００は、後で詳しく述べる制御装置４００または映像処理装置６００の全体または一部と一体化して表示装置または表示システムを構成することができる。
【００２０】
リモコン３１０，３２０は、搭乗者の手動操作が可能となるよう構成され、手動操作に応じてコマンドを生成し、生成した操作コマンドを、無線信号、例えば赤外線信号に変換して無線送信する。操作コマンドは、画面２３０に表示される映像の制御に用いられるもの、およびヘッドフォン出力端子２４０，２５０に接続されたヘッドフォンまたはスピーカ７２０から出力される音声の制御に用いられるものを含む。例えば、制御対象の映像の選択、制御対象の音声の選択、ソース（ＣＤ／ＤＶＤデッキ、テレビ（ＴＶ）チューナ、外部入力など）の選択、およびＴＶチャンネルの選択などがある。また、操作コマンドは、さらに、ＥＳＷ３４０およびリモコン３１０，３２０の操作に関する情報の設定（例えば、操作権の設定など）に用いられるものを含む。なお、本実施の形態では、２つのリモコン３１０，３２０が使用されるが、リモコンの個数およびリモコンの車室内での設置態様については、特に限定されない。
【００２１】
リモコン３１０，３２０から出力される操作コマンドによれば、分割画面２１０に表示される映像、分割画面２２０に表示される映像、ヘッドフォン出力端子２４０に接続されたヘッドフォンから出力される音声、ヘッドフォン出力端子２５０に接続されたヘッドフォンから出力される音声、およびスピーカ７２０から出力される音声をそれぞれ個別に制御することができる。また、この個別制御は、異なる操作コマンド入力源から得られる操作コマンドに従って実行することができる。
【００２２】
操作コマンドの入力源は、ＥＳＷ３４０自体およびリモコン３１０，３２０自体として定義することもでき、リモコン３１０，３２０、操作時のリモコン３１０，３２０の空間的位置、あるいは、ＥＳＷ３４０またはリモコン３１０，３２０を操作する搭乗者の空間的位置として定義することもできる。
【００２３】
受光部３３０は、リモコン３１０，３２０から送信された赤外線信号を受信し、制御装置４００で処理可能な電気信号に変換して、制御装置４００の操作処理部４２０に出力する。
【００２４】
ＥＳＷ３４０は、例えばワイドディスプレイ２００の枠部などの、車室内の適切な個所に設けられる。ＥＳＷ３４０は、搭乗者の手動操作が可能となるよう構成され、手動操作により生成される操作コマンドを電気信号として生成して制御装置４００の操作処理部４２０に出力する。ＥＳＷ３４０により生成可能な操作コマンドは、リモコン３１０，３２０により生成可能な操作コマンドと同様である。
【００２５】
映像制御装置または音声制御装置としての制御装置４００は、メモリ４１０、操作処理部４２０、および指示処理部４３０を備える。
【００２６】
メモリ４１０は、操作権の設定状況および操作コマンドの定義を示す各種のテーブルを保持する。メモリ４１０が保持する各種のテーブルの設定情報は、リモコン３１０，３２０およびＥＳＷ３４０からの操作コマンド、または搭乗者の着座の検知などにより随時更新されうる。メモリ４１０が保持するテーブルについては、後に詳細に説明する。
【００２７】
操作処理部４２０は、受光部３３０またはＥＳＷ３４０から操作コマンドを受信する。受信した操作コマンドが、表示される映像または出力される音声の制御に用いられるものである場合、操作処理部４２０は、この操作コマンドを指示処理部４３０に出力する。受信した操作コマンドが、ＥＳＷ３４０およびリモコン３１０，３２０の操作に関する情報の設定に用いられるものである場合、操作処理部４２０は、メモリ４１０が保持する各種のテーブルの設定情報の読み取りまたは書き込みを行う。操作処理部４２０は、操作コマンドを受信したとき、必要に応じて、引き続き行われうる手動操作のためのメッセージを映像として表示または音声として出力させるように、指示処理部４３０と共働することができる。
【００２８】
なお、操作処理部４２０、リモコン３１０，３２０、ＥＳＷ３４０または受光部３３０もしくはこれらの組合せにより、ＡＶシステム１００の操作部が構成される。
【００２９】
識別手段または制御手段としての指示処理部４３０は、操作処理部４２０からの操作コマンドを受信および解析する。より具体的には、指示処理部４３０は、操作コマンドの入力源、つまり、ＥＳＷ３４０、リモコン３１０，３２０、もしくはＥＳＷ３４０またはリモコン３１０，３２０を操作した搭乗者の空間的位置の識別を行う。さらに、操作コマンドに示された制御内容の識別およびその有効性の判定を行う。さらに、この制御内容に関連する設定情報の参照および更新を行う。そして、指示処理部４３０は、その解析結果に基づいて指示信号を生成し、生成した指示信号を、ソースセレクタ５１０，５２０の映像ＳＷ（スイッチ）５１１，５２１および音声ＳＷ５１２，５２２、映像処理装置６００の映像処理部６１０，６２０，６４０および映像合成部６３０、ならびに音声合成部７１０の少なくともいずれかに出力し、これにより、音声または映像の制御を実現する。例えば、指示処理部４３０は、分割画面２１０に表示される映像のソースを切り替える場合、ソースセレクタ５１０に対して指示信号を出力する。また、指示処理部４３０は、テレビチューナの選択チャンネルを切り替える場合、その旨を示す指示信号をコンテンツ入力ソース５００に含まれるテレビチューナ（本実施の形態では、テレビチューナ１またはテレビチューナ２）に出力する。指示処理部４３０の機能および動作については、後で詳しく述べる。
【００３０】
コンテンツ入力ソース５００は、ＣＤ／ＤＶＤデッキやテレビ（ＴＶ）チューナ、外部入力などの、コンテンツのソースの集合を示すものである。各ソースからの映像信号は、映像ＳＷ５１１，５２１に出力され、各ソースからの音声信号は、音声ＳＷ５１２，５２２に出力される。本実施の形態では、ソースとして、ＣＤ／ＤＶＤデッキ、テレビ（ＴＶ）チューナ、および外部入力を例示しているが、コンテンツ入力ソース５００には、ＨＤＤ（Hard Disk Drive）やＡＭ／ＦＭチューナなどが含まれていてもよい。
【００３１】
ソースセレクタ５１０は、映像ＳＷ５１１および音声ＳＷ５１２を有する。映像ＳＷ５１１は、コンテンツ入力ソース５００から入力される映像信号を、指示処理部４３０から入力される指示信号に従って選択的に、映像処理装置６００の映像処理部６１０に出力する。音声ＳＷ５１２は、コンテンツ入力ソース５００から入力される音声信号を、指示処理部４３０から入力される指示信号に従って選択的に、音声合成部７１０に出力する。
【００３２】
ソースセレクタ５２０は、映像ＳＷ５２１および音声ＳＷ５２２を有する。映像ＳＷ５２１は、コンテンツ入力ソース５００から入力される映像信号を、指示処理部４３０から入力される指示信号に従って選択的に、映像処理装置６００の映像処理部６２０に出力する。音声ＳＷ５２２は、コンテンツ入力ソース５００から入力される音声信号を、指示処理部４３０から入力される指示信号に従って選択的に、音声合成部７１０に出力する。
【００３３】
ここで、ソースセレクタ５１０は、２画面表示時のデフォルト設定においては、分割画面２１０、ヘッドフォン出力端子２４０および映像処理部６１０とともに１つのＡＶサブシステムを構成する。このＡＶサブシステムは、映像ＳＷ５１１から出力される映像信号が、映像処理装置６００を経由して分割画面２１０上で映像として表示され、音声ＳＷ５１２から出力される音声信号が、音声合成部７１０を経由してヘッドフォン出力端子２４０に接続されるヘッドフォンから音声として出力される。ただし、デフォルト設定が変更された場合はこの限りではない。
【００３４】
また、ソースセレクタ５２０は、２画面表示時のデフォルト設定においては、分割画面２２０、ヘッドフォン出力端子２５０および映像処理部６２０とともに１つのＡＶサブシステムを構成する。このＡＶサブシステムは、映像ＳＷ５２１から出力される映像信号が、映像処理装置６００を経由して分割画面２２０上で映像として表示され、音声ＳＷ５２２から出力される音声信号が、音声合成部７１０を経由してヘッドフォン出力端子２５０に接続されるヘッドフォンから音声として出力される。ただし、デフォルト設定が変更された場合はこの限りではない。
【００３５】
映像処理装置６００は、映像処理部６１０，６２０，６４０、および映像合成部６３０を備える。
【００３６】
映像処理部６１０は、映像ＳＷ５１１からの映像信号に所定の映像処理を行って映像合成部６３０に出力する。また、映像処理部６２０は、映像ＳＷ５２１からの映像に所定の映像処理を行って映像合成部６３０に出力する。映像処理部６１０，６２０の映像処理には、例えば、輝度、解像度、明度、彩度および色相の調整などが含まれる。このように、映像処理部６１０，６２０は、異なるソースセレクタ５１０，５２０（映像ＳＷ５１１，５２１）から入力される映像信号に対して、異なる映像処理を行うことができる。映像処理部６１０および映像処理部６２０における映像処理は、指示処理部４３０から入力される指示信号により制御することができる。
【００３７】
映像処理部６１０は、映像処理部６１０の映像信号から得られいずれかの分割画面上に表示される映像の表示態様を、映像処理部６２０の映像信号から得られる映像の表示態様と相違させる画質調整を行う。映像処理部６２０は、映像処理部６２０の映像信号から得られいずれかの分割画面上に表示される映像の表示態様を、映像処理部６１０の映像信号から得られる映像の表示態様と相違させる画質調整を行う。この画質調整は、指示処理部４３０からの指示信号に従って制御される。この画質調整により、搭乗者、特にリモコン３１０，３２０またはＥＳＷ３４０を操作している搭乗者が、２つの分割画面２１０，２２０のうち制御対象となっている分割画面を容易に識別することができるようになる。
【００３８】
映像合成部６３０は、映像処理部６１０からの映像信号と、映像処理部６２０からの映像信号とを、合成する。この合成は、指示処理部４３０から入力される指示信号により要求されているときに実行される。なお、合成された映像信号は、画面２３０上で２画面表示の形態（つまり、いずれかの映像信号がいずれかの分割画面に表示される形態）で表示されることとなる。また、これらの映像信号をどのように合成するかについても、指示信号により制御することができる。合成が要求されていないときは、映像合成部６３０は、指示信号に従って、映像処理部６１０または映像処理部６２０からの映像信号を、映像処理部６４０に出力する。
【００３９】
また、映像合成部６３０は、映像処理部６１０から入力される映像信号と映像処理部６２０から入力される映像信号とが、２画面表示の形態で画面２３０上に表示されているときに、これらの映像信号（換言すれば、それぞれの映像信号を含むコンテンツ）が同一となる場合、いずれかの映像処理部からの映像信号のみを映像処理部６４０に出力することにより、画面２３０上の映像表示形態を２画面表示から１画面表示に切り替えさせる。なお、同一映像の２画面表示の検出は、映像処理装置６００内で行われてもよいし、指示処理部４３０から入力される指示信号により映像合成部６３０に通知されてもよい。
【００４０】
さらに、映像合成部６３０は、合成が要求されていないときに、映像処理部６４０に出力すべき映像信号が３−２プルダウンを施されたものか否かを検出する。出力すべき映像信号が３−２プルダウンであることが検出された場合、指示信号に従って、映像の表示形態がワイド１画面フル表示となるように映像信号を変換してから映像処理部６４０に出力する。
【００４１】
映像処理部６４０は、映像合成部６３０からの映像信号に所定の映像処理を行って、処理後の映像信号を出力して、この映像信号を、１画面表示または２画面表示の形態で、画面２３０上に表示させる。この映像処理は、指示処理部４３０から入力される指示信号により制御することができる。映像処理部６４０の映像処理には、例えば、画面２３０に表示される映像に対して黒画を挿入する画面修飾などが含まれる。黒画挿入は、処理対象の映像信号にゼロ信号を挿入することにより実現することができる。黒画の挿入位置としては、例えば、分割画面２１０と分割画面２２０との境界部が挙げられる。この場合、分割画面２１０に表示された映像と分割画面２２０に表示された映像とを明確に識別することが可能になる。他の例としては、画面２３０または各分割画面２１０，２２０の輪郭部などが挙げられる。境界部および輪郭部に挿入する黒画の幅は、調整可能であり、黒画幅調整により、様々な解像度およびサイズの映像を画面上２３０上に表示することができる。
【００４２】
また、映像処理部６４０は、映像処理部６１０，６２０と同様の画質調整を、指示処理部４３０から入力される指示信号に従って行うこともできる。
【００４３】
音声合成部７１０は、音声ＳＷ５１２，５２２から入力される音声信号を、ヘッドフォン出力端子２４０，２５０およびスピーカ７２０に出力する。音声合成部７１０からヘッドフォン出力端子２４０に出力される音声信号は、音声ＳＷ５１２からの音声信号、音声ＳＷ５２２からの音声信号、およびこれらの音声信号の合成により得られる音声信号のいずれかである。音声合成部７１０からヘッドフォン出力端子２５０に出力される音声信号は、音声ＳＷ５１２からの音声信号、音声ＳＷ５２２からの音声信号、およびこれらの音声信号の合成により得られる音声信号のいずれかである。音声合成部７１０からスピーカ７２０に出力される音声信号は、音声ＳＷ５１２からの音声信号、音声ＳＷ５２２からの音声信号、およびこれらの音声信号の合成により得られる音声信号のいずれかである。音声合成部７１０からどの音声出力デバイスにどの音声信号を出力すべきかについては、指示処理部４３０から入力される指示信号により制御される。また、指示信号により音声信号の合成が要求される場合、その合成割合は、指示信号に示される。
【００４４】
音声出力デバイスとしてのスピーカ７２０は、音声合成部７１０から入力される音声信号を音声として出力する。スピーカ７２０は、車室内の任意の適切な個所に設置することができる。
【００４５】
次いで、制御装置４００内のメモリ４１０に保持される各種のテーブルの設定情報について説明する。ここでは、操作権に関する設定情報および選択映像に関する設定情報を例にとり、それぞれ図２および図３を用いて説明する。
【００４６】
図２に示す操作権設定情報において、「分割画面Ａ操作権者」は、分割画面Ａに対する操作を行う権利を付与された搭乗者を意味し、「分割画面Ｂ操作権者」は、分割画面Ｂに対する操作を行う権利を付与された搭乗者を意味する。なお、分割画面Ａは、例えば分割画面２１０であり、分割画面Ｂは、例えば分割画面２２０である。
【００４７】
分割画面Ａ操作権は、操作人１（例えば、左側後部座席に座ってリモコンを操作する搭乗者）、操作人２（例えば、右側後部座席に座ってリモコンを操作する搭乗者）または前席（例えば、運転席または助手席に座ってリモコンまたはＥＳＷを操作する搭乗者）に排他的に付与される。この設定は随時変更可能であり、分割画面Ａの操作権は、操作人１、操作人２および前席のうち複数のものに付与することもでき、全てのものに付与することもできる。
【００４８】
分割画面Ｂ操作権は、操作人１、操作人２または前席に排他的に付与される。この設定は随時変更可能であり、分割画面Ａの操作権は、操作人１、操作人２および前席のうち複数のものに付与することもでき、全てのものに付与することもできる。
【００４９】
また、本実施の形態では、本発明のより深い理解のために、「操作人１」はリモコン３１０を操作する搭乗者と仮定し、「操作人２」はリモコン３２０を操作する搭乗者と仮定し、「前席」はＥＳＷ３４０を操作する搭乗者と仮定する。よって、本実施の形態では、分割画面Ａ，Ｂの各操作権は、リモコン３１０，３２０およびＥＳＷ３４０のいずれかに付与されるものとする。操作権を付与されたリモコン３１０，３２０またはＥＳＷ３４０が、設定値としてテーブルに記録される。
【００５０】
そして、分割画面Ａの表示映像または分割画面Ｂの表示映像の制御においては、複数のコマンド入力源（例えば、リモコン３１０，３２０およびＥＳＷ３４０）のうちそれぞれの操作権を付与されたものから得られた操作コマンドのみが、指示処理部４３０において有効と判定され、操作権を付与されていないものから得られた操作コマンドは、指示処理部４３０において無効と判定される。
【００５１】
また、図３に示す選択映像の設定情報において、「分割画面Ａ選択映像」は、分割画面Ａに表示される映像のソースを意味する。「分割画面Ｂ選択映像」は、分割画面Ｂに表示される映像のソースを意味する。
【００５２】
本実施の形態では、映像のソースは、ＣＤ／ＤＶＤデッキ、ＴＶチューナ１（ＴＶ１）、ＴＶチューナ２（ＴＶ２）および外部入力から選択することができる。選択されたソースが、設定値としてテーブルに記録される。なお、当然ながら、設定値としてテーブルに記録可能なソース、および入力値として操作コマンドに表示可能なソースは、コンテンツ入力ソース５００に含まれるソースに応じて変更することができる。
【００５３】
次いで、上記構成を有するＡＶシステム１００の動作について説明する。
【００５４】
図４は、２つの分割画面のいずれかの表示映像を切り替えさせる制御を行う場合の指示処理部４３０の動作の一例を示すフロー図である。ここでは、ＣＤ／ＤＶＤデッキの映像を分割画面２１０で見ている搭乗者が、ＴＶチューナ１の映像を見るためにリモコン３１０を使って操作を行ったと仮定する。
【００５５】
まず、ステップＳ１１００では、操作処理部４２０からの操作コマンドを取得する。
【００５６】
そして、ステップＳ１２００では、操作コマンド、特に、操作コマンドの入力源および制御対象の分割画面を識別する。
【００５７】
より具体的には、操作コマンドにリモコン３１０の識別子が示されている場合は、その識別子を参照することにより、操作コマンドの入力源を識別することができる。この例では、リモコン３１０自体がコマンド入力源として識別される。
【００５８】
あるいは、搭乗者の着座位置を検出するための装置がＡＶシステム１００とともに用いられる場合は、その検出結果を利用することにより、コマンド入力源を識別することができる。また、受光部３３０がリモコン３１０，３２０からの赤外線信号到来方向の検出が可能な場合は、その検出結果を利用することにより、コマンド入力源を識別することができる。
【００５９】
また、制御対象の分割画面の識別も、様々な方法により行うことができる。例えば、識別されたコマンド入力源に対してどの分割画面の操作権が付与されているのかを、メモリ４１０に保持されたテーブルの設定情報（図２参照）を参照することにより、制御対象の分割画面を識別することができる。例えば、リモコン３１０に対して分割画面Ａの操作権が付与されている場合、制御対象の分割画面として分割画面２１０が識別される。
【００６０】
そして、ステップＳ１３００では、操作コマンドに示された選択映像の入力値を参照する。選択映像の入力値は、例えば次のように予め定義される。搭乗者が、切替後の映像ソースとしてＴＶ１を選択したとすると、操作コマンド内の対応するフィールドには、例えば図５に示されるように入力値“２”が表示される。
【００６１】
そして、ステップＳ１４００では、設定テーブル内の選択映像の設定値を、選択映像の入力値に基づいて更新する。この例では、図３に示されたテーブルにおいて、分割画面Ａ選択映像の設定値がＣＤ／ＤＶＤとなっているので、分割画面Ａ選択映像の設定値をＣＤ／ＤＶＤからＴＶ１に書き換えることにより、設定値の更新を行う。
【００６２】
そして、ステップＳ１５００では、更新された選択映像の設定値に従って、映像の切替を指示する信号を、制御対象の分割画面から映像として出力されている映像信号を供給している映像ＳＷ、例えば、映像ＳＷ５１１に出力する。
【００６３】
この指示信号の出力により、映像ＳＷ５１１は、映像処理部６１０に供給する映像信号のソースを、ＣＤ／ＤＶＤデッキからＴＶチューナ１に切り替える。映像処理部６１０は、映像ＳＷ５１１から供給される映像信号に、所定の映像処理を行って映像合成部６３０に出力する。映像合成部６３０は、この映像信号と、映像処理部６１０から入力される映像信号とを合成し、映像処理部６４０は、合成された映像信号を分割画面２１０上に表示させる。これにより、分割画面２１０に表示される映像が、ＤＶＤの映像からＴＶ番組の映像に切り替わる。
【００６４】
なお、上記の表示映像の切替制御は、分割画面Ｂ、例えば分割画面２２０の表示映像についても同様に適用可能である。また、分割画面Ａ，Ｂの表示映像は、それぞれ、コンテンツ入力ソース５００に含まれる映像ソースの中から任意に切替制御されうる。
【００６５】
次に、操作権設定情報の更新、つまり、図２の分割画面Ａ操作権者または分割画面Ｂ操作権者の設定について説明する。
【００６６】
図６は、２つの分割画面のいずれかの操作権設定情報の更新を行う場合の操作処理部４２０の動作の一例を示すフロー図である。ここでは、分割画面２１０の操作権が操作人１に付与され、分割画面２２０の操作権が操作人２に付与されているときに、分割画面２１０を見ている操作人１が、分割画面２２０の操作権を得るためにリモコン３１０を使って操作を行ったと仮定する。
【００６７】
まず、ステップＳ２１００では、受光部３３０からの操作コマンドを受信する。
【００６８】
そして、ステップＳ２２００では、操作コマンドから、操作権設定情報の更新対象の分割画面を識別する。
【００６９】
より具体的には、操作コマンドに示されている分割画面２１０，２２０の識別子を参照することにより、更新対象の分割画面を識別することができる。この例では、分割画面２２０が更新対象の分割画面として識別される。
【００７０】
そして、ステップＳ２３００では、操作コマンドに示された操作権設定情報の入力値を参照する。この例では、搭乗者が、切替後の分割画面Ｂ操作権者として“操作人１”を選択するので、操作コマンド内の対応するフィールドには、図２に示される分割画面Ｂ操作権者の“操作人１”に対応する入力値が表示される。
【００７１】
そして、ステップＳ２４００では、設定テーブル内の操作権設定情報の設定値を、操作権設定情報の入力値に基づいて更新する。この例では、図２に示されたテーブルにおいて、分割画面Ｂ操作権者の設定値が操作人２となっているので、分割画面Ｂ操作権者の設定値を操作人２から操作人１に書き換えることにより、設定値の更新を行う。また、分割画面Ｂの操作権は、操作人１および操作人２の双方に同時に付与することもできる。この場合、分割画面Ｂ操作権者の設定値として操作人１を書き加えることにより、設定値の更新を行ってもよい。
【００７２】
なお、上記の例のように、他の操作人に付与された操作権設定情報の更新を行う場合、所定の認証動作を行うことが好ましい。例えば、ステップＳ２３００で操作コマンドに示された操作権設定情報の入力値を参照した後、分割画面２２０の下方に操作権設定情報の更新を認証するかどうかのメッセージを表示させる旨の指示信号を、指示処理部４３０を介して出力し、このメッセージを見た操作人２からの手動操作による認証コマンドを受け付けた上でステップＳ２４００に進むことが好ましい。これにより、搭乗者の意に反する操作権設定情報の更新を抑制することができる。
【００７３】
ところで、上記のように操作権設定情報を更新すると、操作人１は、リモコン３１０を用いて、分割画面２１０に表示される映像と、分割画面２２０に表示される映像とを個別に制御することができる。そのためには、リモコン３１０は、どちらの分割画面を制御対象として操作コマンドを生成するかを切り替える必要がある。
【００７４】
そこで、例えば図７に示されるように、リモコン３１０，３２０は、制御対象である分割画面を指定するための操作ボタン３１１，３１２，３２１，３２２を備える。操作ボタン３１１，３１２，３２１，３２２は、押下されることにより点灯する。リモコン３１０，３２０は、操作ボタン３１１，３１２，３２１，３２２が押下されると、押下された操作ボタンに対応する分割画面を制御対象として指定することを示す操作コマンドを生成する。この例では、操作ボタン３１１，３２１は、分割画面２１０に対応し、操作ボタン３１２，３２２は、分割画面２２０に対応するものとする。なお、操作ボタンは点灯されずに、制御対象となる分割画面が表示されるだけでもよい。
【００７５】
分割画面２１０および分割画面２２０の操作権を有する操作人１は、リモコン３１０の操作ボタン３１１，３１２のいずれかを押下していずれかの分割画面を制御対象として指定した上で、指定された分割画面の表示映像の制御のための操作を他の操作ボタンの押下により行う。このとき、リモコン３１０がどちらの分割画面を制御対象としているかを、分割画面２１０，２２０に表示するようにしてもよい。
【００７６】
なお、リモコン３１０，３２０に、操作対象の分割画面に表示される映像の映像ソースを切り替えるための操作ボタン３１３，３２３を設けてもよい。この場合、リモコン３１０の操作ボタン３１３が押下されるたびに、操作対象の分割画面に表示される映像の映像ソースが切り替えられる（例えば、ＣＤ／ＤＶＤからＴＶチューナ１またはＴＶチューナ１からＴＶチューナ２）。同様に、リモコン３２０の操作ボタン３２３が押下されるたびに、操作対象の分割画面に表示される映像の映像ソースが切り替えられる。もちろん、ソース（ＣＤ／ＤＶＤ、ＴＶチューナ１、ＴＶチューナ１、ＴＶチューナ２）ごとにボタンが設けられてもよい。
【００７７】
図８は、操作権設定情報の更新を行う場合の操作処理部４２０の動作の他の例を説明するためのフロー図である。ここでは、分割画面２１０の操作権および分割画面２２０の操作権がいずれにも付与されていないときに、搭乗者の１人が分割画面２１０を操作しようとしてリモコン３１０の操作ボタン３１１を押下したと仮定する。つまり、ここで説明する操作権設定情報の更新は、操作権設定情報の初期設定にも該当するものである。
【００７８】
まず、ステップＳ３１００では、操作ボタン３１１が押下されて生成された、分割画面２１０を更新対象として指定することを示す操作コマンドを受信する。
【００７９】
そして、ステップＳ３２００では、分割画面２１０の操作権者の設定値があるか否かを判定する。分割画面２１０の操作権者の設定値がない場合は（Ｓ３２００：ＮＯ）、ステップＳ３３００に進む。一方、分割画面２１０の操作権者の設定値が既にある場合は（Ｓ３２００：ＹＥＳ）、操作権設定情報の更新を行わずに処理を終了する。
【００８０】
そして、ステップＳ３３００では、分割画面２１０の操作権者の設定値を操作人１とすることにより、設定テーブル内の操作権設定情報の設定値を更新する。これにより、操作ボタン３１１を押下した搭乗者は、操作人１として分割画面２１０の操作権を付与される。
【００８１】
そして、ステップＳ３４００では、分割画面２２０の操作権者の設定値を操作人２とすることにより、設定テーブル内の操作権設定情報の設定値を更新する。
【００８２】
このように、分割画面２１０，２２０の操作権が自動的に異なる搭乗者に付与されるように、操作権設定情報の設定値を更新することができる。すなわち、手動操作により一方の分割画面の操作権を設定するだけで、双方の分割画面の操作権を設定することができ、搭乗者の操作の手間を省くことができる。
【００８３】
ところで、ある搭乗者に対して一方の分割画面のみの操作権が付与されている場合において、その搭乗者が他方の分割画面を一時的に操作することを望む場合（換言すれば、割り込み操作）も想定される。このような場合に対応可能な操作権設定情報の更新について、図９を用いて説明する。
【００８４】
図９は、操作権設定情報の更新を行う場合の操作処理部４２０の動作の他の例を説明するためのフロー図である。ここでは、分割画面２１０の操作権者の設定値が操作人１であり、分割画面２２０の操作権者の設定値が操作人２であるときに、操作人２が分割画面２１０の割り込み操作を行う場合を例にとって説明する。
【００８５】
まず、ステップＳ４１００では、操作ボタン３２１が押下されて生成された、分割画面２１０を更新対象として指定することを示す操作コマンドを受信する。
【００８６】
なお、割り込み操作を実現するためには、搭乗者は、操作ボタン３２１を、例えば数秒間にわたり押下し続けることが必要である。このような操作により生成された操作コマンドには、その旨を示す情報が含まれる。ステップＳ４１００で、操作処理部４２０は、この情報を読み取ることにより、割り込み操作を許可する。この他に、操作ボタン３２１が短時間に押下された場合に、分割画面２１０が操作対象になり（その旨が画面に表示されてもよい）、操作ボタン３２１からの割込みが許可されてもよい。
【００８７】
そして、ステップＳ４２００では、設定テーブル内の操作権設定情報の設定値を更新する。これにより、操作ボタン３２１を押下した操作人２は、操作人２として分割画面２１０の操作権を付与される。このとき、分割画面２１０の操作権者の設定値を操作人２のみとしてもよいし、分割画面２１０の操作権者の設定値を操作人１および操作人２としてもよい。なお、操作ボタン３１１はリモコン３１０に設けられていなくてよく、操作ボタン３２２はリモコン３２０に設けられていなくてもよい。
【００８８】
操作権設定情報の設定値の更新後は、操作人２は、リモコン３２０を用いて分割画面２１０の表示映像の切替などの操作を行うことができる。
【００８９】
そして、所定の時間が経過すると（Ｓ４３００：ＹＥＳ）、設定テーブル内の操作権設定情報の設定値をステップＳ４２００の更新前の設定値に戻す（Ｓ４４００）。これにより、操作人２がリモコン３２０を用いて分割画面２１０の表示映像の切替などの操作を行うことが不可能となる。
【００９０】
なお、ステップＳ４４００では、割り込み操作が完了することにより、設定テーブル内の操作権設定情報の設定値をステップＳ４２００の更新前の設定値に戻すようにしてもよい。
【００９１】
このように、２つのリモコンに異なる分割画面の操作権が与えられている場合に、搭乗者の必要に応じて特別な操作が行われれば、その搭乗者は１つのリモコンを用いて双方の分割画面を一時的に操作することができる。したがって、このシステムの操作性を向上することができる。
【００９２】
以上のように、本実施の形態によれば、異なる分割画面に異なる映像を表示させることができ、搭乗者にとっての利便性を向上させることができる。特に、異なる分割画面に対応する操作コマンドにより複数の分割画面の表示映像を個別に制御するので、車室内の個々の搭乗者が、それぞれの分割画面で異なる映像を自由に選択して見ることができる。しかも、各分割画面の操作権が、全てのコマンド入力源でなく一部のコマンド入力源のみに対して排他的に付与されるので、個々の搭乗者がそれぞれの分割画面で見ている映像が他の搭乗者の操作によって制御できなくなるような環境を提供することができる。
【００９３】
また、各分割画面の操作権設定情報の設定値は、リモコンまたはＥＳＷからの操作コマンドにより柔軟に更新することができる。これにより、各分割画面を１人で使用可能な場合や一方の分割画面の操作人が寝ている場合、一方の分割画面の操作人の了承を得た場合などには、両方の分割画面を操作することができる。
【００９４】
また、本実施の形態において、１つの分割画面の操作権が「操作人１」、「操作人２」および「前席」のうち複数または全てのものに付与される場合のために、どの操作権者が優先権を持つかを定義する優先権設定テーブルをメモリ４１０内に保持しておくことが好ましい。この場合、指示処理部４３０は、優先権設定テーブルを参照することにより複数の操作権者のうち優先権を持つ操作権者を識別し、優先権を持つ操作権者からの操作コマンドに示された選択映像への切替を指示する信号を、該当する映像ＳＷに出力する。これにより、複数ソースからの異なる映像が混合して搭乗者を不快にさせることを回避することができる。
【００９５】
以上、本発明の実施の形態について説明した。なお、以上の説明は本発明の好適な実施の形態の例証であり、本発明の範囲はこれに限定されない。例えば、本実施の形態では、ＡＶシステムを車載用電子機器として用いた場合について説明したが、本実施の形態のＡＶシステムを単体で用いて、狭空間に設置されユーザの操作を必要とする映像機器または音響機器に応用することもできる。また、図１に示した構成は一例であり、よって、本発明の範囲においてこの構成例の様々な変更および修正が可能であることは明らかである。
【００９６】
また、本発明の他の実施の形態として、上記実施の形態で説明したＡＶシステムの各構成要素の機能を実現させるためのプログラムを読み取り可能な記録媒体に格納し、ＣＰＵを用いてそのプログラムを実行させることにより、本発明を実施することもできる。
【産業上の利用可能性】
【００９７】
本発明の表示システム、表示装置、映像制御装置、制御装置および映像制御方法は、ＡＶシステムなどの車載機器として有用である。また、これらは車室以外での用途にも適しており、例えば、表示装置または音声出力デバイスを備え且つ狭空間内でのユーザの操作を必要とする映像機器または音響機器の用途に応用することができる。
【図面の簡単な説明】
【００９８】
【図１】本発明の一実施の形態に係るＡＶシステムの構成を示すブロック図
【図２】本発明の一実施の形態に係る操作権設定情報の一例を示す図
【図３】本発明の一実施の形態に係る選択映像の設定情報の一例を示す図
【図４】本発明の一実施の形態に係る表示映像切替制御の動作の一例を説明するためのフロー図
【図５】本発明の一実施の形態に係る操作コマンドに示される選択映像の入力値の一例を示す図
【図６】本発明の一実施の形態に係る操作権設定情報の更新動作の一例を説明するためのフロー図
【図７】本発明の一実施の形態に係るリモコンの構成の一例を示す図
【図８】本発明の一実施の形態に係る操作権設定情報の更新動作の他の例を説明するためのフロー図
【図９】本発明の一実施の形態に係る操作権設定情報の更新動作のさらに他の例を説明するためのフロー図
【符号の説明】
【００９９】
１００  ＡＶシステム
２００  ワイドディスプレイ
２１０、２２０  分割画面
２３０  画面
２４０、２５０  ヘッドフォン出力端子
３１０、３２０  リモコン
３３０  受光部
３４０  ＥＳＷ
４００  制御装置
４２０  操作処理部
４３０  指示処理部
５００  コンテンツ入力ソース
５１０、５２０  ソースセレクタ
６００  映像処理装置
６１０、６２０、６４０  映像処理部
６３０  映像合成部
７１０  音声合成部
７２０  スピーカ
【図１】
2007292813.tif 000003
【図２】
2007292813.tif 000004
【図３】
2007292813.tif 000005
【図４】
2007292813.tif 000006
【図５】
2007292813.tif 000007
【図６】
2007292813.tif 000008
【図７】
2007292813.tif 000009
【図８】
2007292813.tif 000010
【図９】
2007292813.tif 000011